(57)【要約】【課題】基部と先端部との間で曲がる形状を有する指針本体の発光ムラを少なくすることが可能な指針を提供する。【解決手段】指針３は、光透過性の樹脂で形成された指針本体３１を備え、指針本体３１の基部側より照明光を導入して指針本体３１を発光させる構造を有する。指針本体３１は、その基部と先端部との間で曲がる形状を有し、指針本体３１の対向する側面３６ａ、３６ｂの少なくとも一方を、指針本体３１の裏面３５から表面３４へ向かって内側へ傾斜させる。これにより、指針３の発光ムラを少なくすることができる。【選択図】  図２
2006138725.tif 000002
【特許請求の範囲】
【請求項１】
光透過性の樹脂で形成された指針本体を備え、該指針本体の基部側より照明光を導入して該指針本体を発光させる構造を有する指針であって、
前記指針本体は、該指針本体の前記基部と先端部との間で曲がる形状を有し、
前記指針本体の対向する側面の少なくとも一方を、該指針本体の裏面から表面へ向かって内側へ傾斜させたことを特徴とする指針。
【請求項２】
前記指針本体は、該指針本体の前記基部と前記先端部との間で折曲する少なくとも一つの折曲部を有することを特徴とする請求項１に記載の指針。
【請求項３】
前記指針本体は、該指針本体の前記基部と前記先端部との間で湾曲する少なくとも１つの湾曲部を有することを特徴とする請求項１に記載の指針。
【請求項４】
前記指針本体の先端が前記裏面から前記表面へ向かう方向へまたは該表面から該裏面へ向かう方向へ曲がる形状を有することを特徴とする請求項１ないし請求項３のいずれか一項に記載の指針。
【請求項５】
前記指針本体の略全体の対向する側面を、該指針本体の裏面から表面へ向かって内側へ傾斜させたことを特徴とする請求項１ないし請求項４のいずれか一項に記載の指針。
【請求項６】
前記指針本体の横断面の形状は、略台形であることを特徴とする請求項１ないし請求項５のいずれか一項に記載の指針。
【請求項７】
前記指針本体の基部側より導入された照明光を前記表面へ反射させる反射層を、前記裏面に設けたことを特徴とする請求項１ないし請求項６のいずれか一項に記載の指針。
【請求項８】
少なくとも前記側面を覆う遮光手段を有することを特徴とする請求項１ないし請求項７のいずれか一項に記載の指針。
【請求項９】
請求項１ないし請求項８のいずれか一項に記載の指針を備える車両用指針計器であって、
文字盤と、
前記文字盤の背後に配置された光源とを備え、
前記指針本体は、前記文字盤の表面に沿って回動すると共に前記光源の発する光を受けて発光し、
前記指針本体は、前記文字盤の前記表面との隙間を略一定に保つように該表面の形状に合わせて曲がる形状を有することを特徴とする車両用指針計器。
【発明の詳細な説明】
【技術分野】
【０００１】
本発明は、その基部と先端部との間で曲がる形状を有すると共に発光表示する指針と、これを有する車両用指針計器に関するものである。
【背景技術】
【０００２】
近年、車両用指針計器において、見映えのある斬新な視認性を確保するために様々な提案がなされている。例えば、透光性を有する目盛盤をダッシュパネル上に配置し、この目盛盤の背後に指針を配置する車両用指針計器が開示されている。（特許文献１を参照）。
【０００３】
具体的には、目盛盤は、運転者から見て凹面状に湾曲し、指針の本体を、目盛盤との隙間を一定に保つように目盛盤の底面の形状に合わせて湾曲させている。この目盛盤の背後に発光ダイオードを配置し、その光を指針の本体の基部より導入して本体を発光させ、発光ダイオードの光を目盛盤の中央部より導入して目盛盤の目盛や文字を表示させることが開示されている。
【特許文献１】特開２００３−１３９５８１号公報
【発明の開示】
【発明が解決しようとする課題】
【０００４】
しかし、特許文献１による車両用指針計器では、光を導く指針の本体がその基部と先端部との間で湾曲しているため、この本体内の光路も湾曲してしまう。これにより、基部より導入された発光ダイオードの光は、本体内を全反射して進行しないで外部へもれる割合が高くなる。その結果、先端部ほど光量が低下し、指針の本体では、発光ムラが生じ易くなる。
【０００５】
本発明は、上記問題点に鑑みてなされたものであり、その基部と先端部との間で曲がる形状を有する指針本体の発光ムラを少なくすることが可能な指針およびこれを有する車両用指針計器を提供することを目的とする。
【課題を解決するための手段】
【０００６】
本発明は上記目的を達成するため、以下の技術的手段を採用する。
【０００７】
請求項１に記載の指針は、光透過性の樹脂で形成された指針本体を備え、指針本体の基部側より照明光を導入して指針本体を発光させる構造を有する指針であって、指針本体が指針本体の基部と先端部との間で曲がる形状を有し、指針本体の対向する側面の少なくとも一方を指針本体の裏面から表面へ向かって内側へ傾斜させた構成とする。
【０００８】
この構成では、指針本体が指針本体の基部と先端部との間で曲がる形状を有し、指針本体の対向する側面の少なくとも一方を指針本体の裏面から表面へ向かって内側へ傾斜させた。これにより、指針本体の側面で反射した光は、表面から外側へ出射することが低減されるため、その多くの部分が指針本体の先端まで到達できる。その結果、指針本体の発光ムラを少なくすることができる。
【０００９】
請求項２に記載の指針は、指針本体がその基部と先端部との間で折曲する少なくとも一つの折曲部を有する構成とする。
【００１０】
この構成では、基部と先端部との間で折曲する折曲部を有する指針本体の発光ムラを少なくすることができる。
【００１１】
請求項３に記載の指針は、指針本体がその基部と先端部との間で湾曲する少なくとも一つの湾曲部を有する構成とする。
【００１２】
この構成では、基部と先端部との間で湾曲する湾曲部を有する指針本体の発光ムラを少なくすることができる。
【００１３】
請求項４に記載の指針は、指針本体の先端が裏面から表面へ向かう方向へまたは表面から裏面へ向かう方向へ曲がる形状を有する構成とする。
【００１４】
この構成では、先端が裏面から表面へ向かう方向へまたは表面から裏面へ向かう方向へ曲がる形状を有する指針本体の発光ムラを少なくすることができる。
【００１５】
請求項５に記載の指針は、指針本体の略全体の対向する側面を指針本体の裏面から表面へ向かって内側へ傾斜させた構成とする。
【００１６】
この構成では、指針本体の略全体の対向する側面を指針本体の裏面から表面へ向かって内側へ傾斜させた。これにより、指針本体の側面で反射した光は、表面から外側へ出射することがより低減されるため、そのより多くの部分が指針本体の先端まで到達できる。その結果、指針本体の発光ムラをより少なくすることができる。
【００１７】
請求項６に記載の指針は、指針本体の横断面の形状が略台形である構成とする。
【００１８】
この構成では、指針本体の横断面の形状が略台形であるため、成形型の抜き勾配として容易にこれを形成できるため、低コストで上述の効果を得ることができる。
【００１９】
請求項７に記載の指針は、指針本体の基部側より導入された照明光を表面へ反射させる反射層を裏面に設けた構成とする。
【００２０】
この構成では、反射層を裏面に設けたため、指針本体の側面で反射した光が裏面からは外側へ出射しない。これにより、指針本体の側面で反射した光が表面と裏面との両面から外側へ出射することがより低減されるため、そのより多くの部分が指針本体の先端まで到達できる。その結果、指針本体の発光ムラをより少なくすることができる。
【００２１】
請求項８に記載の指針は、少なくとも側面を覆う遮光手段を有する構成とする。
【００２２】
この構成では、指針が少なくとも側面を覆う遮光手段を有するため、側面からの漏光を防止することにより指針本体の見映えを向上できる。
【００２３】
請求項９に記載の車両用指針計器は、請求項１ないし請求項８のいずれか一項に記載の指針を備える車両用指針計器であって、文字盤と、文字盤の背後に配置された光源とを備え、指針本体が文字盤の表面に沿って回動すると共に光源の発する光を受けて発光し、指針本体が文字盤の表面との隙間を略一定に保つように表面の形状に合わせて曲がる形状を有する構成とする。
【００２４】
この構成では、文字盤の表面との隙間を略一定に保つように表面の形状に合わせて曲がる形状を有する指針本体の発光ムラを少なくすることができる。
【発明を実施するための最良の形態】
【００２５】
以下、本発明による指針を備える車両用指針計器を、自動車に搭載されるコンビネーションメータに適用した場合を例に図面に基づいて説明する。
【００２６】
（第１実施形態）
図１は、本発明の第１実施形態による指針３を備える車両用指針計器であるコンビネーションメータ１の正面図である。図１の矢印が示す上下方向が自動車の上下方向と同じである。
【００２７】
図２は、図１中のＩＩ−ＩＩ線断面図である。
【００２８】
図３は、図１中のＩＩＩ−ＩＩＩ線断面の拡大図である。
【００２９】
図４は、本発明の第１実施形態による指針３を備えるコンビネーションメータ１の電気回路構成を説明する回路構成図である。
【００３０】
車両用指針計器であるコンビネーションメータ１は、自動車の運転席前方に配置されて当該自動車に関する各種情報を表示する。本発明の第１実施形態による指針３を備えるコンビネーションメータ１は、図１に示すように、走行速度を表示する速度計を構成する。
【００３１】
コンビネーションメータ１は、走行速度を表示して運転者に視認させるための文字盤２を備え、文字盤２は、透光性を有する材料、例えば透明なポリカーボネート樹脂等の板材から形成される。
【００３２】
文字盤２の表面または裏面には、文字（数字を含む）２１と目盛２２が透光状態になるように、これらの文字２１と目盛２２の背景部分がつや消しの不透光状態（または、つや消しの透光性が低い状態）になるように印刷あるいはホットスタンプ等を施して形成される。
【００３３】
文字盤２の端部側は、図１と図２とに示すように、意匠プレート１０で覆われる。また、文字盤２には、図２に示すように、後述するムーブメント５のシャフト５１を挿通させるための貫通孔２３が設けられ、文字盤２の背後（図２の矢印が示す下側）には、リフレクタ８、ムーブメント５、発光ダイオード６、光源である発光ダイオード７、およびプリント基板９が配置される。プリント基板９は、コンビネーションメータ１の電気回路部を形成するものであり、ムーブメント５と発光ダイオード６、７は、プリント基板９に実装される。
【００３４】
ムーブメント５は、例えば交差コイル式アクチュエータ、あるいはステッピングモータ等から構成され、外部からの電気信号（本実施形態においては車速信号）に対応した角度だけシャフト５１を回動させるものである。シャフト５１は、文字盤２の貫通孔２３を通して表面側（図２の矢印が示す上側）へ延出し、その先端が指針３のシャフト接合部３２に固定される。
【００３５】
リフレクタ８は、発光ダイオード６、７からの例えば白色光を文字盤２と指針３へ導くものである。ここで、発光ダイオード６からの白色光によって、文字２１と目盛２２（図１）は、例えば白色で発光表示されるように構成される。また、文字２１と目盛２２の背景部分は、例えば青色表示されるように構成される。
【００３６】
本発明の特徴である指針３は、指針本体である指針本体部３１とシャフト接合部３２から構成され、指針本体部３１は、その基部側に発光ダイオード７からの白色光を指針本体部３１の先端側へ反射する反射面３３を有する。指針本体３１は、その裏面３５が文字盤２の表面（図２の矢印に示す上側の面）との隙間を略一定に保つようにこの表面の形状に合わせるように、この先端側が角度Ａ（例えば３０度）だけ折れ曲がる形状で形成される。
【００３７】
即ち、指針本体３１は、その基部と先端との間で折れ曲がる折曲部を有するように形成される。
【００３８】
図２に示すの例では、指針本体３１の表面３４の前方（図２の矢印に示す上方向）へ、図示しない表示器を配置するため、文字盤２の開口部２３の周辺部をその裏面側に向かう方向（図２の矢印に示す下側）へ凹ませている。指針本体３１は、この文字盤２の表面の形状に合わせる形状としたものである。このため、視認者は、この折れ曲がる形状を有する指針本体３１により、速度を読み取り易くなる。
【００３９】
指針本体３１は、図３に示すように、対向する側面３６ａと側面３６ｂとが裏面３５から表面３４へ向かって内側へ傾斜する勾配Ｂ（例えば１度から５度）を有するように、例えば無色透明なアクリル樹脂等で形成される。即ち、指針3は、指針本体３１の横断面が略台形となるように形成される。
【００４０】
側面３６ａ、３６ｂは、指針本体３１の基部と先端との間の全領域で勾配Ｂ（例えば１度から５度）を有するように形成される。
【００４１】
裏面３５と表面３４との各全面には、印刷あるいはホットスタンプ等によって、反射層３５ａと着色層３４ａとがそれぞれ形成される。反射層３５ａは、反射面３３からの白色光を表面３４へ反射するものであり、着色層３４ａは、透光性を有し反射層３５ａから白色光を例えば赤色光として外側（図３の矢印に示す上側）出射させるものである。
【００４２】
尚、反射層３５ａに着色作用を与えて、着色層３４ａを省略しても良いし、指針３を赤色透明樹脂で形成することによって、着色層３４ａを省略しても良い。
【００４３】
指針３は、遮光手段である指針カバー４で覆われ、この指針カバー４は、引っかけ等で互いに固定されるカバーアッパ４１とカバーロア４２とから構成される。カバーアッパ４１には、指針３の表面３４を視認させる開口４１ａが設けられる。
【００４４】
指針カバー４は、例えば黒色のアクリロニトリル・ブタジエン・スチレン（ＡＢＳ）樹脂で形成され、発光ダイオード７からの白色光が視認者の目に直接入射することを防止するものであると共に、赤色で発光する指針３と黒色の指針カバー４とのコントラストおよび側面３６ａ，３６ｂからの漏光を防止することによる見映えを向上させるものである。
【００４５】
以上説明した本実施形態による指針３を備えるコンビネーションメータ１の電気回路構成について、図４に基づいて説明する。
【００４６】
マイクロコンピュータ等から構成される制御装置１１には、バッテリ１４から電力が常時供給され、イグニッションスイッチ１３がその操作ポジション（オフポジション、オンポジション）を検出可能に接続され、当該自動車の走行速度を検出する車速センサ１２や図示しないセンサやスイッチ等がそれらの信号を入力可能に接続される。
【００４７】
また、車速センサ１２からの検出信号に応じて制御装置１１によって駆動されるムーブメント５と点灯・消灯される発光ダイオード６、７も、制御装置１１に接続される。
【００４８】
以下に、上述したように構成された本発明の第１実施形態による指針３を備えるコンビネーションメータ１の作動について説明する。
【００４９】
運転者によってイグニッションスイッチ１３がオンされると、図４において、制御装置１１は、それを検出して作動を開始し、発光ダイオード６、７を点灯させると共に、ムーブメント５を駆動する。即ち、制御装置１１は、速度センサ１２からの出力信号に基づき、当該自動車の車速を算出し、これに対応した角度だけシャフト５１を回動させるように、ムーブメント５を駆動する。
【００５０】
点灯された発光ダイオード６の白色光は、リフレクタ８に導かれ、図示しない拡散板で均一化されて、文字盤２を透過照明する。これにより、文字２１と目盛２２は、白色で発光表示され、文字２１と目盛２２の背景部分は、青色で表示される。
【００５１】
一方、点灯された発光ダイオード７の白色光は、図２中の矢印Ｐ１の光路に従って、指針本体３１に入射し、指針本体３１の反射面３３でその先端側ヘ反射する。この反射光の一部は、図２と図３で示す側面３６ａの点Ｐに到達し、矢印Ｐ２の光路に従って反射する。
【００５２】
上述したように、側面３６ａと側面３６ｂとは、裏面３５から表面３４へ向かって内側へ傾斜する勾配Ｂを有する。このため、図３において、反射層３５ａで反射した矢印Ｐ１の光路の白色光は、表面３４から外側へ出射することなく、矢印Ｐ２の光路に従って、指針本体３１の内部を進行する。
【００５３】
詳細には、側面３６ａが図３の矢印に示す右側へ傾斜しているため、側面３６ａの点Ｐで反射した図３の矢印に示す下側から進行した矢印Ｐ１の光路の光は、矢印Ｐ２の光路の光として、図３の矢印に示す上側へ大きく反射しない。このため、矢印Ｐ２の光路の光は、表面３４から外側へ出射することなく、指針本体３１の内部を進行することができる。
【００５４】
これにより、反射面３３の反射光の内多くの部分が指針３の先端まで到達でき、その結果、指針カバー４の開口４１ａ内の指針３の表面３４で、発光ムラを少なくすることができる。
【００５５】
ここで、比較として、図示しない勾配Ｂが零の場合において、側面３６ａの点Ｐで反射した矢印Ｐ１の光路の光を、破線矢印Ｐ３の光路として示す。側面３６ａの点Ｐで反射した図３の矢印に示す下側から進行した矢印Ｐ１の光路の光は、破線矢印Ｐ３の光路の光として、図３の矢印に示す上側へ大きく反射し、着色層３４ａを介して表面３４から指針本体３１の外側へ赤色光として出射する。
【００５６】
これにより、指針３の表面３４の内この出射した部分は、赤色で発光表示するが、反射面３３の反射光の内多くの部分は、指針３の先端まで到達できない。その結果。指針３の先端側の発光強度が低下して、発光ムラが生ずる。
【００５７】
以上の効果を、光学シミュレーション試験で確認し、その試験条件と試験結果を図５に示した。
【００５８】
図５（ａ）は、光学シミュレーション試験を実施した指針３の模式図を示し、図５（ｂ）は、本発明による指針３を示す図５（ａ）中のＶＢ−ＶＢ線断面図であり、図５（ｃ）は、本発明による指針３の比較例を示す断面図であり、図５（ｄ）は、本発明による指針３と比較例との光学シミュレーション試験結果を示すグラフである。
【００５９】
尚、図５（ａ）中のＶＢ−ＶＢ線断面の方向は、指針３を成型する際の型抜き方向である図５（ａ）の矢印で示す上下方向としたものである。
【００６０】
本発明による指針３は、図５（ａ）と図５（ｂ）において折れ曲がり角度Ａ１が３０度で勾配Ｂ１が２度で、無色透明なアクリル樹脂で形成されたものである。一方、比較例の指針は、図５（ａ）と図５（ｃ）において折れ曲がり角度Ａ１が３０度で勾配Ｂ２が勾配Ｂ１と逆方向へ２度で、同じ無色透明なアクリル樹脂で形成されたものである。
【００６１】
ここで、本発明による指針３の比較例を、逆方向の勾配Ｂ２としたのは、本発明の効果を顕著に示すためである。
【００６２】
図５（ａ）において、指針３の長手方向の寸法をＬ、折曲部をＬａ、この先端部をＬｂと定義する。この試験構成は、光路Ｑ１に従って所定強度の光源の光を指針３へ入射させ、寸法Ｌに対応した指針３の各位置から出射した光の強度を測定するものである。
【００６３】
図５（ｄ）において、横軸を指針３の長手方向の寸法Ｌとし、縦軸を寸法Ｌに対応した各位置から出射した光の測定強度の相対値ＩＲとし、この試験結果をプロットした。
【００６４】
図５（ｄ）から明らかなように、破線（Ｂ２）で示す比較例による指針３では、指針の発光強度ＩＲが折れ曲がり点Ｌａから先端Ｌｂに向かって急速に低下しているのに対して、実線（Ｂ１）で示す本発明による指針３では、指針３の発光強度ＩＲはこの間で大きく変化しない。
【００６５】
これは、比較例による指針３では、図３において、側面３６ａと側面３６ｂとが裏面３５から表面３４へ向かって外側側へ傾斜する勾配を有するためである。即ち、側面３６ａの点Ｐで反射した図３の矢印に示す下側から進行した矢印Ｐ１の光路の光は、破線矢印Ｐ３の光路の光よりさらに図３の矢印に示す上側へ大きく反射し、表面３４から指針本体３１の外側へ出射するからである。
【００６６】
一方、本発明による指針３では、図３において、側面３６ａと側面３６ｂとが裏面３５から表面３４へ向かって内側へ傾斜する勾配Ｂを有するため、上述したように、側面３６ａの点Ｐで反射した図３の矢印に示す下側から進行した矢印Ｐ１の光路の光は、矢印Ｐ２の光路の光として、図３の矢印に示す上側へ大きく反射しないで指針本体３１の内部を進行することができる。
【００６７】
その結果、反射面３３の反射光の内多くの部分が指針本体３１の先端まで到達でき、これが、上述の光学シミュレーション試験結果を得ることができた理由である。
【００６８】
以上説明した本発明の第１実施形態による指針本体３１は、その先端が裏面３５から表面３４へ向かって折れ曲がる形状を有すると共に、側面３６ａと側面３６ｂとが裏面３５から表面３４へ向かって内側へ傾斜する形状を有する。これにより、この折れ曲がる形状を有する指針３の発光ムラを少なくすることができる。
【００６９】
尚、折れ曲がり角度Ａは、上述したように、３０度である必要はなく、勾配Ｂも１から５度である必要もない。例えば、必要に応じて、折れ曲がり角度Ａは、５度でも５０度でもよい。また、必要に応じて、勾配Ｂも０．５度でも１０度でもよい。
【００７０】
即ち、折れ曲がり角度Ａは、コンビネーションメータ１の設計上の要請（例えば、文字盤２の開口部２３の周辺部の凹みの程度）から設定され、勾配Ｂは、この設定された折れ曲がり角度Ａに対応させるように設定される。
【００７１】
具体的には、文字盤２の開口部２３の周辺部の凹みの程度が大きい場合、折れ曲がり角度Ａを大きく設定する。この指針本体３１に入射した光が表面３４から外側へ出射しないようにするため、勾配Ｂを、この設定された折れ曲がり角度Ａに対応させるように大きく設定する。
【００７２】
尚、図２では、指針３は、その先端が上側（図２の矢印に示す上側）へ１回だけ折れ曲がっているが、これに限る必要はない。
【００７３】
図６は、図２の変形例を示す断面図である。
【００７４】
指針３は、図６に示すように、その先端側が上側（図６の矢印に示す上側）へ曲がり、さらにその先端側が下側（図６の矢印に示す下側）へ曲がって、その先端が水平方向（図６の矢印に示す左右方向）へ延出するようにしても良い。つまり、この指針３は、２回折れ曲がっている。
【００７５】
即ち、指針３の折れ曲がりの回数も、コンビネーションメータ１の設計上の要請（例えば、文字盤２の開口部２３の周辺部の形状）から設定されるもので、指針３は、２回でなくて複数回折れ曲がるものであってもよい。
【００７６】
図６では、指針カバー４の開口部４１ａを指針３の先端側に設けているが、これを図２に示すように指針３の基部側まで延出するようにしても良い。
【００７７】
尚、文字盤２がその開口部２３の周辺部が突出する形状を有する場合は、指針本体３１を、その先端が上述と反対の下側へ折れ曲がる形状とする。この場合も、指針本体３１を、側面３６ａと側面３６ｂとが裏面３５から表面３４へ向かって内側へ傾斜する形状とし、勾配Ｂを、この設定された折れ曲がり角度に対応させるように設定する。
【００７８】
（第２実施形態）
図７は、本発明の第２実施形態による指針３を備える車両用指針計器であるコンビネーションメータ１の正面図である。図７の矢印が示す上下方向が自動車の上下方向と同じである。
【００７９】
本発明の第２実施形態による指針を備える車両用指針計器であるコンビネーションメータ１では、第１実施形態と異なり、指針３は、文字盤２の表面に沿った方向へ「く」の字型で折れ曲がる形状を有する。また、指針３の先端側の傾斜方向へ、目盛２２を傾斜させる。これにより、指針３の回転運動に加えて平行運動を伴うダイナミックな運動軌跡を付与できるため、斬新な見映えの車両用指針計器を実現することができる。
【００８０】
この場合は、側面３６ａ，３６ｂで反射された発光ダイオード７の白色光も指針先端側へ導く必要があるため、これらの面にも図示しない反射層が形成される。他の点は、第１実施形態と同様であるため、その説明を省略する。
【００８１】
本実施形態による指針本体３１も、上述したように、側面３６ａと側面３６ｂとが裏面３５から表面３４へ向かって内側へ傾斜する形状を有するため、反射面３３の反射光の内多くの部分を表面３４から外側へ出射しないようできる。尚、上述したように、裏面３５の全面に反射層３５ａが形成されているため、反射面３３のこの反射光を、裏面３５から外側へ出射しないようできる。これらにより、反射面３３のこの反射光を、指針３の先端まで到達させることができる。即ち、本発明の第２実施形態による指針３も、文字盤２の表面に沿った方向へ折れ曲がる形状を有する指針３を均一に発光させることができる。
【００８２】
尚、上述の説明では、指針３は、その裏面３５から表面３４の方向へ、または、その側面３６ａから側面３６ｂの方向へと折れ曲がる形状を有していたが、これに限る必要はなく、その表面３４から裏面３５の方向へ、または、その側面３６ｂから側面３６ａの方向へ折れ曲がる形状としてもよい。
【００８３】
さらに、指針３は、湾曲する形状であってもよく、その他の方向へ曲がる形状（折れ曲がる形状と湾曲する形状の両方を含む）を有するものであっても良い。
【００８４】
即ち、何らかの要望により指針３が所定方向に曲がる必要がある場合、発光ムラが生じやすくなるが、本発明による指針３は、側面３６ａと側面３６ｂとが裏面３５から表面３４へ向かって内側へ傾斜する形状を有するため、発光ムラを少なくさせることができる。
【００８５】
また、上述の説明では、勾配Ｂを指針本体３１の基部と先端との間の全領域で設けたが、その間の一部の設けるものであってもよい。
【００８６】
また、指針計器として速度計を形成しているが、これに限る必要は無く、他の計器、例えばと回転計や燃料計等と置き換える、あるいは追加しても良い。
【図面の簡単な説明】
【００８７】
【図１】図１は、本発明の第１実施形態による指針３を備える車両用指針計器であるコンビネーションメータ１の正面図である。
【図２】図２は、図１中のＩＩ−ＩＩ線断面図である。
【図３】図３は、図１中のＩＩＩ−ＩＩＩ線断面の拡大図である。
【図４】図４は、本発明の第１実施形態による指針を備えるコンビネーションメータ１の電気回路構成を説明する回路構成図である
【図５】図５（ａ）は、光学シミュレーション試験を実施した指針３の模式図を示し、図５（ｂ）は、本発明による指針３を示す図５（ａ）中のＶＢ−ＶＢ線断面図であり、図５（ｃ）は、本発明による指針３の比較例を示す断面図であり、図５（ｄ）は、本発明による指針３と比較例との光学シミュレーション試験結果を示すグラフである。
【図６】図６は、図２の変形例を示す断面図である。
【図７】図７は、本発明の第２実施形態による指針３を備える車両用指針計器であるコンビネーションメータ１の正面図である。
【符号の説明】
【００８８】
１    コンビネーションメータ（車両用指針計器）
２    文字盤
２１    文字
２２    目盛
２３    貫通孔
３    指針
３１    指針本体部
３２    シャフト接合部
３３    反射面
３４    表面
３４ａ    着色層
３５    裏面
３５ａ    反射層
３６ａ    側面
３６ｂ    側面
４    指針カバー（遮光手段）
４１    カバーアッパ
４１ａ    開口
４２    カバーロア
５    ムーブメント
５１    シャフト
６    発光ダイオード
７    発光ダイオード（光源）
８    リフレクタ
９    プリント基板
１０    意匠プレート
１１    制御装置
１２    速度センサ
１３    イグニッションスイッチ
１４    バッテリ
【図１】
2006138725.tif 000003
【図２】
2006138725.tif 000004
【図３】
2006138725.tif 000005
【図４】
2006138725.tif 000006
【図５】
2006138725.tif 000007
【図６】
2006138725.tif 000008
【図７】
2006138725.tif 000009